(57)【要約】      （修正有）【課題】保管時には折りたたみ収納可能で、担架として十分な強度、機能を有し、かつ安価な担架を提供する。【解決手段】クラフト紙とポリエチレンクロス（ＰＥ）の貼り合わせ構造の積層体からなり、ポリエチレンクロス（ＰＥ）側を担架の下面、クラフト紙側を上面（傷病者搭載側）とし、長手方向の左右両側部３各４箇所に、一部を残した長円形の切抜きを施し、残した部位で折り曲げ、切抜きを把手部４とすることを特徴とする。担架の上面のクラフト紙面側にトリアージ用の４色のテープ（黒、赤、黄、緑）を貼着すれば、トリアージに利用できる。【選択図】図１
0003207182.tif 000002
【実用新案登録請求の範囲】
【請求項１】
折りたたみ収納可能な担架であって、
クラフト紙とポリエチレンクロス（ＰＥ）の貼り合わせ構造の積層体からなり、
ポリエチレンクロス（ＰＥ）側を担架の下面、クラフト紙側を上面（傷病者搭載側）とし、
長手方向の左右両側部各４箇所に、一部を残した長円形の切抜きを施し、残した部位で折り曲げ、切抜きを把手部とすることを特徴とする担架。
【考案の詳細な説明】
【技術分野】
【０００１】
本考案は、クラフト紙とポリエチレンクロス（ＰＥ）の積層体を素材とする傷病者等を乗せて運ぶ担架であって、保管時に折りたたみ収納可能な担架に関する。
【背景技術】
【０００２】
災害現場や事故現場より傷病者等を乗せて運ぶ用具として担架があるが、代表的には、両端に把持部を有する一対の支持棒を互いに平行に所定距離を隔てて位置せしめた状態において、それら支持棒間にシートを架設してなる構成のものが知られている。
【０００３】
しかし、このような担架はかさばるので、大災害等に備えて大量に備蓄しようとする場合、収納場所の確保に難があり、より収納性が高いものが望まれている。また、より安価なものが望まれている。
収納性の向上や、軽量化あるいは狭い場所での搬送を容易とする試みとして、例えば、特許文献１には、一対の支持棒及び連結アームに炭素繊維強化樹脂からなる中空パイプを用いた、軽量で収納性に優れた伸縮式担架が記載されている。
【０００４】
また、特許文献２には、紙製の本体板部に折曲把手部を形成した担架が開示され、これは、紙製とすることにより、製作の容易さ、軽量化、収納のし易さを図ったものと推測される。
【０００５】
しかしながら、この担架は、紙製の板を用いるものなので折りたたむ大きさには限度があると思われ、収納性に関しては不十分であり、また、使用時の強度等についても不安が残る。
【先行技術文献】
【特許文献】
【０００６】
【特許文献１】特開２００３−２３０５９６号公報
【特許文献２】意匠第１０７２７３３号公報
【考案の概要】
【考案が解決しようとする課題】
【０００７】
本考案は、従来の課題を解決し、保管時には折りたたみ収納可能で、担架として十分な機械的特性を有し、かつ比較的安価な担架を提供することを目的とする。
【課題を解決するための手段】
【０００８】
本考案者は、鋭意検討を重ねた結果、クラフト紙とポリエチレンクロス（ＰＥ）の貼り合わせ構造の積層体を素材とすることにより、好ましい担架が得られることを見出し、本考案に至った。
【０００９】
本考案の担架は、以下のとおりのものである。
【００１０】
折りたたみ収納可能な担架であって、クラフト紙とポリエチレンクロス（ＰＥ）の貼り合わせ構造の積層体からなり、ポリエチレンクロス（ＰＥ）側を担架の下面、クラフト紙側を上面（傷病者搭載側）とし、長手方向の左右両側部各４箇所に、一部を残した長円形の切抜きを施し、残した部位で折り曲げ、切抜きを把手部とすることを特徴とする担架。
【考案の効果】
【００１１】
本考案に係る担架は、クラフト紙とポリエチレンクロス（ＰＥ）の積層体からなるため、非常に軽量で持ち運びが楽である、折りたたむことで収納スペースが節約でき、大量の備蓄が可能である、上面が紙製であるため、血液その他の汚れが付着しやすい担架として使いかってがよく使い捨ても可能である、さらに安価であるといった従来品にない利点を有する。
【図面の簡単な説明】
【００１２】
【図１】図１は、本考案に係る担架を示す斜視図である。
【図２】図２は、本考案に係る担架を広げた状態を示す図である。
【図３】図３は、本考案に係る担架を折りたたんだ状態を示す図である。
【考案を実施するための形態】
【００１３】
本考案に係る担架は、ポリエチレンクロス（ＰＥ）とクラフト紙を貼り合わせた積層体からなり、大きさは、１２００（幅）×１８００（長さ）mmを基本サイズとするものである。
【００１４】
担架本体部はクラフト紙とポリエチレンクロス、（ＰＥ）の積層体からなり、ポリエチレンクロス（ＰＥ）側を担架の下面、クラフト紙側を上面（傷病者搭載側）とするが、上面の把手部を形成する左右両側部もポリエチレンクロス（ＰＥ）で被覆されたものが好ましい。
左右両側部には、各４箇所に一部を残した長円形の切抜きを施し、残した部位で折り曲げ、切抜きを把手部とする。
【００１５】
本考案の担架の利点を挙げれば以下のとおりである。
・従来の担架より非常に軽量であるため、持ち運びがはるかに楽である。
・折りたたむことができるため、わずかな収納スペースで保管でき、また多くの担架の備蓄が可能である。
【００１６】
・使い捨てできるため、血液やその他の汚れを気にしないで使用することができる。
・傷病者を救急車やベッドに本考案の担架のまま乗せることができる。
・子供や人以外の小さくて重い物を運ぶ場合は、折り返すことで長さを２段階まで調節可能である。
【００１７】
担架本体部のクラフト紙面側にトリアージ用の４色のテープを貼着しておけば、トリアージの必要がある場合に利用できる。
トリアージテープは、救護活動時に、トリアージタッグの代わりに利用され、選別された色のテープを傷病者に取り付ける。
【００１８】
トリアージテープは、以下のカテゴリーで使用されるものである。
黒  カテゴリー０  （死亡群）
死亡、または生命徴候がなく、救命の見込みがないもの。
赤  カテゴリーI  （最優先治療群）
生命に関わる重篤な状態で一刻も早い処置をすべきもの。
黄  カテゴリーII  （待機的治療群）
赤ほどではないが、早期に処置をすべきもの。
一般に、今すぐ生命に関わる重篤な状態ではないが、処置が必要であり、
場合によっては赤に変化する可能性があるもの。  
緑  カテゴリーIII  （保留群）
今すぐは搬送の必要がないもの。
完全に治療が不要なものも含む。
【実施例】
【００１９】
本考案の実施例を図に基づいて具体的に説明するが、本考案はこの実施例に限定されるものではない。
【００２０】
図１〜３に本考案の実施例を示す。
担架本体部はクラフト紙とポリエチレンクロス（ＰＥ）の積層体からなり、裏面及びの把手部を形成する左右両側部３はポリエチレンクロス（ＰＥ）で被覆される。
【００２１】
左右両側部３には、各４箇所に把手部を形成する切抜きを設ける。切抜きは一部を残し、残した部位で折り曲げ、切抜きを把手部４とする。
切り抜き穴の形状は、長円形であるが、図１、２のような楕円形でもよい。長円形の方が直線部分があるため、折り曲げ易く把手部としても使い易い。
この把手部を持って運搬する。通常４名で両側部の把手部を持って行う。
【００２２】
図２のように、担架本体部のクラフト紙面側にトリアージ用の４色のテープ５（黒、、赤、黄、緑）を貼着してもよい。その場合、４色のテープをトリアージに利用できる。
担架は、図３のように折りたたんで保管する。
【００２３】
使用に際しては、現場において広げ、傷病者を中央の本体部に乗せる。次いで、必要に応じて傷病者をトリアージする訳であるが、表面がクラフト紙なので、トリアージタッグがなくても症状その他の情報を書き込むことができ、そのスペースは十分確保できる。
トリアージ用の黒、赤、黄、緑の４色のテープが担架の表面に貼ってある場合には、医者や看護師がその場で判断した識別色のトリアージテープを傷病者の手首、足首等に取り付けることができる。
傷病者は、トリアージの優先順位にしたがって救急車等まで運搬する。
【００２４】
本考案の担架は上面が紙製のため、少量の血液や水を吸収するので、運んでいる時の汚れを少なくできる。また、裏面のポリエチレンクロス（ＰＥ）は水分を弾くので、濡れている場所にも置くことができ、上にもう一枚被せると雨に濡れずに運ぶことができる。
【００２５】
担架が比較的薄く、使い捨てできるため、傷病者を担架に乗せたまま、救急車やベッドや病院の手術台にそのまま乗せることができる。
なお、図１の担架の１／４を用いて強度試験を行ったところ、１００ｋｇの加重に耐えることができた。したがって、本考案の担架は実際の使用にあたって３００ｋｇの加重に十分耐えられるものである。また、濡れた状態でも同様の強度が確認された。
【産業上の利用可能性】
【００２６】
本考案に係る折りたたみ収納可能な担架は、安価に製造することができ、またよりコンパクトに保管できるため、近年頻繁に起こる地震、津波等の大災害に備えて従来より多めに備蓄することができるという有意義なものである。また、使い捨てできるため多少の汚れを気にせず使うことができ、使いかってが非常によい、など実用的価値が高いものである。
【符号の説明】
【００２７】
１  折りたたみ収納可能な担架
２  担架本体部
３  両側部
４  把手部
５  トリアージテープ
【図１】
0003207182.tif 000003
【図２】
0003207182.tif 000004
【図３】
0003207182.tif 000005